(57)【要約】【課題】給水管内の洗浄効率が高く、且つ静粛性に優れた給水管洗浄システム、給水管洗浄装置、及び給水管洗浄方法を提供する。【解決手段】圧縮空気を給水管の内部に射出して給水管内部を洗浄する給水管洗浄システムにおいて、圧縮空気を射出する第１の給水管と、前記第１の給水管と連通する第２の給水管と、圧縮空気を生成するコンプレッサーと、前記コンプレッサーより送られる圧縮空気を、電磁弁を用いて断続的に射出する圧縮空気送出機と、その内部に螺旋状の切り込みを有し、前記圧縮空気送出機より射出される圧縮空気を、前記第１の給水管の内部に螺旋状に回転させながら射出するシリンダとを有する給水管洗浄装置と、を備え、前記第１の給水管の内部に圧縮空気を、螺旋状に旋回させつつ圧送することとした。【選択図】  図１
2007181776.tif 000002
【特許請求の範囲】
【請求項１】
圧縮空気を給水管の内部に射出して給水管内部を洗浄する給水管洗浄システムにおいて、
圧縮空気を射出する第１の給水管と、
前記第１の給水管と連通する第２の給水管と、
圧縮空気を生成するコンプレッサーと、前記コンプレッサーより送られる圧縮空気を断続的に射出する圧縮空気送出機と、その内部に螺旋状の切り込みを有し、前記圧縮空気送出機より射出される圧縮空気を、前記第１の給水管の内部に螺旋状に回転させながら射出するシリンダとを有する給水管洗浄装置と、を備え、
前記第１の給水管の内部に圧縮空気を、螺旋状に旋回させつつ圧送し、該旋回する圧縮空気により、その蛇口が開放されている前記第２の給水管の内部に微細気泡を発生させながら旋回する水流を作り、該旋回する水流により前記第２の給水管の内部を洗浄する、
ことを特徴とする給水管洗浄システム。
【請求項２】
圧縮空気を給水管の内部に射出する給水管洗浄装置において、
圧縮空気を生成するコンプレッサーと、前記コンプレッサーより送られる圧縮空気を断続的に射出する圧縮空気送出機と、その内部に螺旋状の切り込みを有し、前記圧縮空気送出機より射出される圧縮空気を、給水管の内部に螺旋状に回転させながら射出するシリンダとを有し、
前記給水管内の水を、螺旋状に旋回する圧縮空気により螺旋状に攪拌して微細気泡を発生させる、
ことを特徴とする給水管洗浄装置。
【請求項３】
請求項２に記載の給水管洗浄装置において、
上記シリンダには、該シリンダの外側面から該シリンダの流路内壁面までを貫通する小孔が穿設され、該小孔には、ピンが、その先端面が該シリンダの流路内壁面とほぼ同じ高さとなるよう圧入嵌合されてなる、
ことを特徴とする給水管洗浄装置。
【請求項４】
請求項２、又は請求項３に記載の給水管洗浄装置において、
上記圧縮空気送出機は、前記コンプレッサーより送られる圧縮空気の通過流量が異なる電磁弁が複数設けられ、
前記複数の電磁弁のうちの所要の電磁弁を動作させ、射出する圧縮空気の空気量を変化させる制御部と、を備えた、
ことを特徴とする給水管洗浄装置。
【請求項５】
圧縮空気を給水管の内部に射出して給水管内部の洗浄を行う給水管洗浄方法において、
コンプレッサーにより生成された圧縮空気を、螺旋状に回転させながら、第１の給水管の内部に断続的に射出し、
前記第１の給水管内部の水を、螺旋状に旋回する圧縮空気により螺旋状に攪拌して微細気泡を発生させ、
前記第１の給水管と連通する第２の給水管の給水栓を開放して、前記第２の給水管の内部に微細気泡を発生させながら旋回する水流を作り、該旋回する水流により前記第２の給水管の内部を洗浄する、
ことを特徴とする給水管洗浄方法。
【発明の詳細な説明】
【技術分野】
【０００１】
本発明は、マンション、一戸建て住宅、あるいはビルや学校等の給水管内部の洗浄に関するものである。
【背景技術】
【０００２】
従来、一戸建て住宅やマンションなどの給水管内部の洗浄方法としては、給水管内部の水道水中の酸素を除去して赤錆の形成を抑える脱気工法や、オゾンの酸化力で赤錆やヌメリを分解清浄するオゾン洗浄工法、あるいはポンプ室内に薬品を注入して給水管内部の錆の発生を防ぐ防錆剤工法などが知られている。
【０００３】
また、特許文献１、あるいは特許文献２に記載の給水管洗浄方法のように、給水管内部に圧縮空気を断続的に射出し、圧縮空気が破裂する際に生じる超音波の振動により、給水管内部に付着している赤錆やヌメリ等を除去する方法が知られている。
【０００４】
図５は、上記従来の圧縮空気を用いた給水管洗浄方法を説明するための図である。
図５において、５０１は給水管洗浄装置であり、圧縮空気を生成するコンプレッサ５０２と、コンプレッサ５０２から送られる圧縮空気の射出、及び休止を、電磁弁を用いて制御する操作盤５０３とを備える。
【０００５】
５０４は量水機であり、５０５は、室外に設けられる給水栓を、５０６〜５０８は、建築物内の給水栓をそれぞれ表す。また、５０９は、給水管洗浄装置５０１より射出される圧縮空気を給水管内部に導入するためのパッキンであり、５１０〜５１３は、給水栓５０５〜５０８に水を供給する給水管をそれぞれ表す。
【０００６】
次に、従来の圧縮空気を用いた給水管の洗浄方法について説明する。
まず、作業者は、屋外に設けられた給水栓５０５の近傍に給水管洗浄装置５０１を運び、操作盤５０３と給水栓５０５の吐出口とを、パッキン５０９を用いて接続する。
【０００７】
次に、操作盤５０３を操作し、圧縮空気の圧力、及び圧縮空気の出射時間の設定を行なう。
そして、給水管洗浄装置５０１の動作を開始させて圧縮空気の射出を開始し、最初に給水管洗浄を行なう給水管５１１に接続される給水栓５０６を開放して、水を放出させる。
【０００８】
操作盤５０３からは、圧縮空気が断続的に射出され、給水管５１０に打ち込まれた圧縮空気は、給水管５１１内を通過して給水栓５０６に向かう。圧縮空気は給水管内部に打ち込まれた際に気泡状となり、この気泡が給水管内部を移動しながら破裂するときに発生する超音波の振動により給水管の内壁に付着しているスケール等が剥がされ、開放された給水栓５０６より排出される。
【０００９】
数分の運転後、水の色が透明となったことが確認されたら、操作盤５０３を操作して圧縮空気の射出を休止し、給水栓５０６を閉じる。
次いで、作業者は、給水栓５０７、及び給水栓５０８の近傍まで移動して同様の作業を行い、給水管５１２、及び給水管５１３内の洗浄を行う。
【特許文献１】特開２００４−２０２３３３号公報
【特許文献２】特開平２−１１９９８３号公報
【発明の開示】
【発明が解決しようとする課題】
【００１０】
しかしながら、上記従来の給水管洗浄装置によれば、操作盤より射出される圧縮空気は、一般的なパッキン等を介して、塊状に給水管内に打ち込まれるため、給水管内に射出された圧縮空気と、給水管内の水とが十分に混ざり合うことができない。このため、給水管内の隅々まで行き渡らせることができるほど細かな気泡を得ることはできず、給水管内部に付着した汚物を完全に除去することができなかった。
【００１１】
また、給水管の洗浄作業中は、給水管洗浄装置から３ｋｇｆ／ｃｍ2〜７ｋｇｆ／ｃｍ2程の圧縮空気が断続的に出射されるため、パッキン部分を圧縮空気が通過する際に、非常に大きな振動が生じ、特に室内の給水栓に給水管洗浄装置を接続する場合は、騒音や振動の発生が問題となる。
【００１２】
さらに、圧縮空気を用いた給水管の洗浄方法では、洗浄する建築物の種類に応じて、圧縮空気の空気圧、及び空気量を適切に調整する必要がある。例えば、マンションと、一戸建て住宅と、ビルや学校等とでは、給水管の長さや内径が異なるため、圧縮空気の圧力と空気量をそれぞれの建築物の給水管に適した値に設定する必要がある。しかしながら、上記従来の給水管洗浄装置は、操作盤において単一の電磁弁を使用して圧縮空気を断続的に射出するものであり、電磁弁の性能に応じた空気量しか吐出することができないため、一度に射出する圧縮空気の空気圧の値を幅広い範囲で変化させることはできず、洗浄対象となる建物に応じて、電磁弁が異なる給水管洗浄装置を用意する必要があった。
【００１３】
本発明は上記課題を解決するためになされたものであり、給水管内の洗浄効率が高く、且つ静粛性に優れた給水管洗浄システム、給水管洗浄装置、及び給水管洗浄方法を提供することを目的とする。
【００１４】
また、射出される圧縮空気の空気量を調整可能とし、給水管の仕様が異なる様々な建築物の給水管洗浄を行うことが可能な給水管洗浄装置を提供する。
【課題を解決するための手段】
【００１５】
上記課題を解決するために、本発明の請求項１に係る給水管洗浄システムは、圧縮空気を給水管の内部に射出して給水管内部を洗浄する給水管洗浄システムにおいて、圧縮空気を射出する第１の給水管と、前記第１の給水管と連通する第２の給水管と、圧縮空気を生成するコンプレッサーと、前記コンプレッサーより送られる圧縮空気を断続的に射出する圧縮空気送出機と、その内部に螺旋状の切り込みを有し、前記圧縮空気送出機より射出される圧縮空気を、前記第１の給水管の内部に螺旋状に回転させながら射出するシリンダとを有する給水管洗浄装置と、を備え、前記第１の給水管の内部に圧縮空気を、螺旋状に旋回させつつ圧送し、該旋回する圧縮空気により、その蛇口が開放されている前記第２の給水管の内部に微細気泡を発生させながら旋回する水流を作り、該旋回する水流により前記第２の給水管の内部を洗浄することを特徴とするものである。
【００１６】
これにより、圧縮空気と給水管内部の水とを十分に攪拌することができ、微細気泡による、洗浄能力の高い給水管内部の洗浄を行うことが可能となる。
【００１７】
また、本発明の請求項２に係る給水管洗浄システムは、圧縮空気を給水管の内部に射出する給水管洗浄装置において、圧縮空気を生成するコンプレッサーと、前記コンプレッサーより送られる圧縮空気を断続的に射出する圧縮空気送出機と、その内部に螺旋状の切り込みを有し、前記圧縮空気送出機より射出される圧縮空気を、給水管の内部に螺旋状に回転させながら射出するシリンダとを有し、前記給水管内の水を螺旋状に攪拌して微細気泡を発生させることを特徴とするものである。
【００１８】
これにより、圧縮空気と給水管内部の水とを十分に攪拌することができ、微細気泡による、洗浄能力の高い給水管内部の洗浄を行うことが可能となる。
【００１９】
また、本発明の請求項３に係る給水管洗浄システムは、請求項２に記載の給水管洗浄装置において、上記シリンダには、該シリンダの外側面から該シリンダの流路内壁面までを貫通する小孔が穿設され、該小孔には、ピンが、その先端面が該シリンダの流路内壁面とほぼ同じ高さとなるよう圧入嵌合されてなることを特徴とするものである。
【００２０】
これにより、圧縮空気がシリンダを通過する際の振動を、シリンダ自身により拡散、吸収することができ、給水管洗浄作業中の振動や騒音を防止することが可能となる。
【００２１】
また、本発明の請求項４に係る給水管洗浄システムは、請求項２、又は請求項３に記載の給水管洗浄装置において、上記圧縮空気送出機は、前記コンプレッサーより送られる圧縮空気の通過流量が異なる電磁弁が複数設けられ、前記複数の電磁弁のうちの所要の電磁弁を動作させ、射出する圧縮空気の空気量を変化させる制御部とを備えたことを特徴とするものである。
【００２２】
これにより、圧縮空気送出機により射出される圧縮空気の空気量を変更することができ、一台の圧縮空気送出機により、マンションや一戸建て住宅、あるいは学校やビル等、給水管の径や長さが異なる様々な建築物の給水管洗浄を行うことが可能となる。
【００２３】
また、本発明の請求項５に係る給水管洗浄方法は、圧縮空気を給水管の内部に射出して給水管内部の洗浄を行う給水管洗浄方法において、コンプレッサーにより生成された圧縮空気を、螺旋状に回転させながら、第１の給水管の内部に断続的に射出し、前記第１の給水管内部の水を、螺旋状に旋回する圧縮空気により螺旋状に攪拌して微細気泡を発生させ、前記第１の給水管と連通する第２の給水管の給水栓を開放して、前記第２の給水管の内部に微細気泡を発生させながら旋回する水流を作り、該旋回する水流により前記第２の給水管の内部を洗浄することを特徴とするものである。
【００２４】
これにより、圧縮空気と給水管内部の水とを十分に攪拌することができ、微細気泡による、洗浄能力の高い給水管内部の洗浄を行うことが可能となる。
【発明の効果】
【００２５】
本発明によれば、圧縮空気を、螺旋状に回転させながら給水管内に射出することとしたので、給水管の内部で微細気泡を発生させることができ、これにより、給水管内部の洗浄能力を高めることが可能となる。
【００２６】
また、圧縮空気を給水管内に導入するシリンダに小孔を設け、該小孔をピンにより隙間なく圧入嵌合することとしたので、圧縮空気がシリンダから射出される際に生じる振動を、ピン片により拡散、吸収することができ、これにより、給水管の洗浄作業中の振動や騒音を防止することが可能となる。
【００２７】
また、圧縮空気送出機に、流体流量が異なる複数の電磁弁を備え、弁の開閉動作を行わせる電磁弁を任意に選択可能としたので、圧縮空気送出機より射出される圧縮空気の空気量を変化させることができ、これにより、給水管洗浄時に必要な空気圧、及び空気量が異なる様々な建築物の給水管洗浄を、一台の圧縮空気送出機により行うことが可能となる。
【発明を実施するための最良の形態】
【００２８】
以下、本発明の実施の形態について説明する。
（実施の形態１）
図１は本発明に係る給水管洗浄装置の概略構成を表す図である。
図１において、本発明に係る給水管洗浄装置１００は、コンプレッサー１０１と、圧縮空気送出機１０２と、シリンダ１０６とを有する。
【００２９】
コンプレッサー１０１は、圧縮空気を生成するものであり、吐出し空気量が１００Ｌ／ｍｉｎ〜１３０Ｌ／ｍｉｎ程度のものを使用する。
【００３０】
圧縮空気送出機１０２は、コンプレッサー１０１より送られる圧縮空気を所望の圧力に減圧して、所定の時間間隔で射出するものであり、図１に示すように、圧力弁１０３と、電磁弁１０４と、制御部１０５とを有する。
【００３１】
これら圧縮空気送出機１０２の構成要素のうち、圧力弁１０３は、コンプレッサー１０１より送られる圧縮空気を所望の圧力に減圧するものであり、図示しない調節ダイヤルを用いて、作業者が任意に圧力設定を行なうことができる。
【００３２】
電磁弁２０２は、ソレノイドの力で弁の開閉を行うものであり、制御部１０５による制御のもと、圧力弁より送られる圧縮空気を所定の時間間隔で射出する。制御部１０５は、電磁弁２０２の動作タイミングを制御するものであり、図示しない操作ダイヤルを用いて、作業者が任意に圧縮空気の射出間隔を設定することができる。
【００３３】
また、図１において、１０６は、圧縮空気送出機１０２より圧送される圧縮空気を、給水栓を介して給水管内部に導入するシリンダである。シリンダ１０６の一端は、耐圧ホースにより電磁弁１０４の排出口と接続され、他端は、給水栓のハンドル部分、あるいは吐出口部分と螺着固定される。
【００３４】
図２（ａ）は、シリンダ１０６の外観を、また図２（ｂ）は、シリンダ１０６の断面を表す図である。
【００３５】
図２（ａ）において、シリンダ１０５は、ホース接続部１０６ａと、コック部１０６ｂと、固定部１０６ｃとを有し、その内部に、直線状の圧縮空気の流路が形成されている。
【００３６】
ホース接続部１０６ａには、圧縮空気送出機１０２より射出される圧縮空気の流路となる耐圧ホースが接続される。コック部１０６ｂは、圧縮空気の流れを一時的に遮蔽するものであり、本実施の形態１においては、一般的なボールコックを使用している。固定部１０６ｃは、シリンダ１０６を給水栓に固定するためのものであり、その内側には、図２（ｂ）に示すように、給水栓内部の位置決め部材と当接する当接部１０６ｈを有し、また給水栓のハンドル部、あるいは吐出部に設けられる雄ねじに螺着可能な雌ネジ１０６ｇが螺刻されている。なお、固定部１０６ｃは、給水栓と隙間なく堅強に固定可能な形状であれば、本実施の形態のように雌ネジ形状でなくても良い。
【００３７】
図２（ｂ）に示すように、シリンダ１０６の内部に設けられる圧縮空気の流路は、ホース接続部１０６ａ、及びコック部１０６ｂにおいては、ストレートな円筒状構造であるが、固定部１０６ｃに形成される流路には、らせん状の切り込み部１０６ｄが切削されている。切り込み部１０６ｄは、シリンダ１０６を通過する圧縮空気をらせん状に回転させて吐出するためのものであり、タップ等を用いて螺刻する。
【００３８】
切り込み部１０６ｄは、圧縮空気の流路の全長の１／１０程度以上あれば、その効果を得ることができ、特に、圧縮空気の出口付近に設けるのが好ましい。また、切り込み部１０６ｄのピッチや溝の深さは、シリンダ１０６に送り込まれる圧縮空気の圧力や空気量に応じて適宜変更すると、より効率的に圧縮空気を螺旋状に回転させながら吐出することが可能となる。
【００３９】
また、図２（ｂ）に示すように、シリンダ１０６には、シリンダ１０６の壁面を貫通するように直径１〜２ｍｍ程の小孔１０６ｅが削孔されており、小孔１０６ｅには、金属製の振動防止ピン１０６ｆが、その先端部がシリンダ１０６内部の切り込み部１０６ｄとほぼ同面となるよう、隙間が生じることなく埋め込まれている。
【００４０】
小孔１０６ｅ、及び振動防止ピン１０６ｆは、圧縮空気がシリンダ１０６より吐出される際に生じる振動を吸収、拡散するものであり、シリンダ１０６の圧縮空気の出口側に設けることにより、より防振効果を得ることができる。なお、小孔１０６ｅ、及び振動防止ピン１０６ｆは、圧縮空気の空気圧や空気量に応じて、複数箇所設けても良い。
【００４１】
次に、以上のように構成される給水管洗浄装置１００を用いた給水管の洗浄方法について、図３を用いて説明する。
図３は、一戸建て住宅の給水設備に、本実施の形態１に係る給水管洗浄装置を設置した状態を表す概略構成図である。
図３において、３００は一戸建て住宅を、３０１は量水機を、３０２は、室外に設置される給水栓を、３０３〜３０６はそれぞれ、トイレ、浴室、洗面所、及び流し台に設置される給水栓を表す。また、３０７〜３１２は、給水栓３０２〜３０６へ水を供給する給水管であり、３１３は、給水管の洗浄作業中に、給水栓３０２から水道水、及び圧縮空気が流出するのを防止する止水キャップである。
【００４２】
なお、図３において、コンプレッサー１０１、圧縮空気送出機１０２、及びシリンダ１０６は上述したものと同じものであるため、その説明を省略する。
【００４３】
次に、給水管の洗浄方法について説明する。
まず、量水機３０１の近傍にある止水栓（図示せず）を閉じ、給水栓３０２〜３０６のいずれか１つを開放して、給水管３０７〜３０６内部の圧力を抜く。そして、室外に設置される給水栓３０２のハンドル部分を取り外してシリンダ１０６を螺着し、給水栓３０２の放水部に止水キャップ３１３をはめ込む。
【００４４】
次に、コンプレッサー１０１と圧縮空気送出機１０２とを、耐圧ホースを用いて接続し、また圧縮空気送出機１０２とシリンダ１０６とを、耐圧ホースを用いて接続する。
そして、圧縮空気送出機１０２より射出される圧縮空気の圧力、及び圧縮空気の射出間隔の設定を行なう。本実施の形態１のような一戸建て住宅の給水管を洗浄する場合は、圧縮空気の圧力を３ｋｇｆ／ｃｍ2程度にし、圧縮空気の出射間隔を０．３秒から０．５秒程度にするのが好適である。
【００４５】
圧縮空気送出機１０２より射出される圧縮空気の圧力、及び射出時間の設定を終えると、給水管洗浄装置１００の設置は完了し、次いで、給水管の洗浄作業を開始する。なお、圧縮空気を用いた給水管の洗浄は、通常、給水管１系統づつ行うものであり、以下の例では、トイレの給水管３０９、浴室の給水管３１０、洗面所の給水管３１１、流し台の給水管３１２の順に洗浄する場合について述べる。
【００４６】
まず、量水機３０１の横にある止水栓を開放して、給水管３０７〜給水管３１２内に水を充満させる。そして、コンプレッサー１０１、及び圧縮空気送出機１０２を動作させ、シリンダ１０６のコック部１０６ｂが開放されているのを確認した後、給水管３０９に接続されるトイレの給水栓３０３を開放する。
【００４７】
コンプレッサー１０１、及び圧縮空気送出機１０２が動作を開始すると、コンプレッサー１０１より送られる圧縮空気は、圧力弁１０３にて減圧され、電磁弁１０４の開放タイミングでシリンダ１０６に断続的に圧送される。
【００４８】
シリンダ１０６に圧送された圧縮空気は、シリンダ１０６内部の切り込み部１０６ｄを通過する際に、螺旋状に回転しながら、給水栓３０２を介して給水管３０８内部に打ち込まれる。この際、シリンダ１０６の出口に集中する圧力により生じる振動は、シリンダ１０６に設けられた小孔、及び振動防止ピン１０６ｆにより拡散、吸収される。
【００４９】
そして、給水管３０８内に螺旋状に打ち込まれた圧縮空気は、給水管内の水と十分に混ざりながら非常に細かい気泡となり、給水管３０８，３０７を経て、給水管３０９内に移動する。
【００５０】
この際に、細かい気泡状の圧縮空気は、給水管３０８，３０７，３０９の内部を、破裂しながら移動し、この時に発生する超音波の振動により給水管３０８，３０７，３０９の内壁に付着している赤錆、スライム、スケール等が剥ぎ落とされ、これらの汚れを含む汚水が給水栓３０３から排出される。
【００５１】
作業者は、給水栓３０２より排出される水が透明になるまで、圧縮空気送出機１０２を動作させ、排出される水が十分透明になったことを確認すると、トイレの給水管３０９の洗浄を終了し、続いて浴室の給水管３１０の洗浄を行なう。
【００５２】
浴室の給水管３１０の洗浄を行なう場合は、トイレの給水栓３０３を開放したまま浴室へ移動し、浴室の給水栓３０４を開放する。その後再度トイレに移動して、トイレの給水栓３０３を閉める。なお、作業者がトイレから浴室へ移動する際には、圧縮空気送出機１０２の動作は停止させなくても良い。
【００５３】
圧縮空気送出機１０２より送出される圧縮空気は、螺旋状に回転しながら給水管３０８に打ち込まれ、水と混ざり合い細かい気泡となった圧縮空気は、給水管３０８，３０７、及び浴室の給水管３１０内を破裂しながら移動する。そして、圧縮空気が破裂する際に発生する超音波の振動により、給水管３１０内の赤錆、スライム、スケール等が剥ぎ落とされ、これらの汚れを含む汚水が給水栓３０４から排出される。
【００５４】
作業者は、浴室の給水栓３０４より排出される水が透明になるまで、圧縮空気送出機１０２を動作させ、排出される水が十分透明になったら、浴室の給水管３１０の洗浄を終了する。
【００５５】
以下同様に、洗面所の給水管３１１、及び流し台の給水管３１２の洗浄を行い、全ての給水管の洗浄が終了したら、コンプレッサー１０１、及び圧縮空気送出機１０２の動作を停止させ、給水栓３０２よりシリンダ１０６と止水キャップ３１３を取り外し、給水栓３０２にハンドルを螺着して全ての作業を終了する。
【００５６】
以上のように、本実施の形態１による給水管洗浄システムによれば、圧縮空気送出機より断続的に射出される圧縮空気を、その内部にらせん状の切込みが設けられたシリンダを介して給水管の中に射出することとしたので、圧縮空気を螺旋状に回転させながら給水管内部に打ち込むことができ、これにより、給水管内部の水を螺旋状に旋回する圧縮空気により十分に攪拌して微細気泡を得ることができ、給水管内部の洗浄能力を高めることが可能となる。
【００５７】
また、シリンダに小孔を削孔し、該小孔にピンを圧入嵌合することとしたので、圧縮空気が打ち込まれる際の振動を、シリンダ自身により拡散、吸収することができ、これにより、給水管の洗浄作業中の振動や騒音を防止することが可能となる。
【００５８】
（実施の形態２）
本実施の形態２に係る給水管洗浄システムは、上述した実施の形態１の圧縮空気送出機において、流体流量が異なる２つの電磁弁を備えることとしたものであり、これにより、圧縮空気送出機より射出される圧縮空気の空気量を任意に選択可能としたものである。
【００５９】
図４は、本実施の形態２に係る給水管洗浄装置４００の構成を表す図である。なお、図４において、上述した実施の形態１に係る給水管洗浄装置１００と同じ構成要素については、同一の符号を使用し、その説明を省略する。
【００６０】
図４において、４０１は、圧縮空気送出機であり、第１の電磁弁４０２と、第２の電磁弁４０３とを有する。これら２つの電磁弁は互いに、電磁弁を通過する流体の流量が異なり、本実施の形態２では、第１の電磁弁４０２は接続口径（Ｒｃ）が１／４のものを、また、第２の電磁弁４０３は接続口径が３／８のものをそれぞれ使用している。
【００６１】
ここで、圧縮空気を用いた給水管の洗浄においては、マンション、一戸建て住宅、学校やビルの順に、必要とされる圧縮空気の空気圧、及び空気量が多くなる。本実施の形態２における第１の電磁弁４０２は、マンションの給水管洗浄時に必要な空気圧の圧縮空気を断続的に圧送するのに適したものであり、また、第２の電磁弁４０３は、一戸建て住宅の給水管洗浄時に必要な空気圧の圧縮空気を断続的に圧送するのに適したものである。さらに、これら第１の電磁弁４０２と第２の電磁弁４０３とを同時に開放すると、学校やビルの給水管洗浄時に必要な空気圧の圧縮空気を断続的に圧送するのに適した圧縮空気の空気量を得ることができる。
【００６２】
圧力弁１０３より送られる圧縮空気は、二股ホースを介して第１の電磁弁４０２と、第２の電磁弁４０３のそれぞれに圧送され、また、第１の電磁弁４０２と、第２の電磁弁４０３より射出される圧縮空気は、二股ホースにより１つに集合し、シリンダ１０６へと送られる。
【００６３】
制御部４０４は、第１の電磁弁４０２と、第２の電磁弁４０３の開閉タイミングを制御すると共に、図示しない切替スイッチより入力される切換え信号に従い、何れの電磁弁を動作させるかを制御する。
【００６４】
つまり、本実施の形態２においては、第１の電磁弁４０２のみ動作する場合と、第２の電磁弁４０３のみ動作する場合と、第１の電磁弁４０２と第２の電磁弁４０３とが共に動作する場合とがあり、これらは、作業者が図示しない切替スイッチを用いて、動作させる電磁弁の組み合わせを選択することができる。
【００６５】
なお、制御部４０４は、第１の電磁弁４０２と第２の電磁弁４０３とを同時に動作させる場合は、互いの電磁弁が同一のタイミングで開閉するよう制御している。
【００６６】
次に、以上のように構成される給水管洗浄装置４００の動作例について説明する。なお、給水管洗浄装置４００の設置方法、及び給水管の洗浄方法は、上述した実施の形態１と同様である。
【００６７】
まず、洗浄対象となる建築物がマンションである場合は、作業者は、図示しない切替スイッチを操作して、第１の電磁弁４０２のみの動作を選択する。また、圧力弁１０３の設定圧力を、３ｋｇｆ／ｃｍ2程度に設定する。
【００６８】
コンプレッサー１０１、及び圧縮空気送出機４０１の動作を開始させると、コンプレッサー１０１より送られる圧縮空気は、圧力弁１０３にて減圧された後、第１の電磁弁４０２と第２の電磁弁４０３のそれぞれに供給される。ここで、制御部４０４は、切替スイッチからの入力信号に従い、第１の電磁弁４０２の開閉動作のみ制御し、第２の電磁弁４０４の動作は停止させている。
【００６９】
このため、圧力弁１０３より送られる圧縮空気は、第１の電磁弁４０２のみより所定の時間間隔で射出され、シリンダ１０６を介して、給水管内部に螺旋状に打ち込まれる。
【００７０】
そして、上述したように、圧縮空気は水と混ざりながら細かい泡状となり、給水管内部を通過しながら給水管内部のスライムや赤錆等を剥がし落とし、当該給水管に接続される給水栓より排出される。
【００７１】
次に、洗浄対象となる建築物が一戸建て住宅である場合は、作業者は、図示しない切替スイッチを操作し、第２の電磁弁４０３のみの動作を選択する。また、圧力弁の設定圧力は、マンションの洗浄時よりもやや高い５ｋｇｆ／ｃｍ2程度に設定する。
【００７２】
コンプレッサー１０１、及び圧縮空気送出機４０１の動作を開始させると、コンプレッサー１０１より送られる圧縮空気は、圧力弁１０３にて減圧された後、第１の電磁弁４０２と第２の電磁弁４０３のそれぞれに供給されるが、制御部４０４は、切替スイッチからの入力信号に従い、第２の電磁弁４０３の開閉動作のみ制御し、第１の電磁弁４０２の動作を停止させており、このため、圧力弁１０３より送られる圧縮空気は、第２の電磁弁４０３のみより所定の時間間隔で射出され、シリンダ１０６を介して給水管内部に螺旋状に打ち込まれる。
【００７３】
そして、圧縮空気は水と混ざりながら細かい泡状となり、給水管内部を通過しながら給水管内部のスライムや赤錆等を剥がし落とし、当該給水管に接続される給水栓より排出される。
【００７４】
次に、洗浄対象となる建築物が、ビルや学校等のように、高圧力で多量の圧縮空気が必要とされる場合は、作業者は、図示しない切替スイッチを操作し、第１の電磁弁４０２と第２の電磁弁４０３の双方の動作モードを選択する。また、圧力弁の設定圧力は、７ｋｇｆ／ｃｍ2程度に設定する。
【００７５】
コンプレッサー１０１、及び圧縮空気送出機４０１の動作を開始させると、コンプレッサー１０１より送られる圧縮空気は、圧力弁１０３にて減圧された後、第１の電磁弁４０２と第２の電磁弁４０３のそれぞれに供給される。
【００７６】
ここで、制御部４０４は、第１の電磁弁４０２と第２の電磁弁４０３の双方を、同じタイミングで開閉するよう制御しており、この結果、コンプレッサー１０１より送られる圧縮空気は、所定の時間間隔で第１の電磁弁４０２、及び第２の電磁弁４０３より射出され、これらが二股ホースを介して１つに集合し、シリンダ１０６を介して給水管内部に螺旋状に打ち込まれる。
【００７７】
そして、この高圧、且つ多量の圧縮空気が、ビルや学校等の給水管の内部を破裂しながら移動することにより、給水管内部の水垢や錆などが剥がし落とされ、給水管内部の洗浄が行われる。
【００７８】
以上のように、本実施の形態２による給水管洗浄装置によれば、圧縮空気送出機に、流体流量が異なる電磁弁を複数設け、電磁弁の動作パターンを任意に選択可能としたので、射出される圧縮空気の空気量を変化させることができ、これにより、圧縮空気の空気圧を幅広い範囲で変化させることが可能となり、一台の圧縮空気送出機を用いて、給水設備の仕様が異なる様々な建築物の給水管洗浄を行うことが可能となる。
【００７９】
なお、本実施の形態２に係る給水管洗浄システムにおいては、動作させる電磁弁のパターンに応じて、シリンダ１０６内部の圧縮空気の流路の径や長さ、あるいは切り込み部１０６ｄの長さやピッチ等を適宜変更することにより、より効率的に圧縮空気を螺旋状に給水管内部に打ち込むことが可能となる。
【００８０】
また、本実施の形態２においては、電磁弁を２個備える場合について述べたが、電磁弁の数はこれに限るものではなく、流体流量が異なる電磁弁を３個以上備えても良い。
【産業上の利用可能性】
【００８１】
本発明に係る給水管洗浄装置によれば、圧縮空気を用いた給水管の洗浄システムにおいて、洗浄能力、及び静粛性を高めることができる点において有用である。また、一台の圧縮空気送出機により、給水管の使用が異なる様々な建築物の給水管を洗浄することが可能となる。
【図面の簡単な説明】
【００８２】
【図１】本発明の実施の形態１に係る給水管洗浄システムの構成を示す図である。
【図２（ａ）】本発明の実施の形態１に係るシリンダの外観を示す図である。
【図２（ｂ）】本発明の実施の形態１に係るシリンダの断面図である。
【図３】本発明の実施の形態１に係る給水管洗浄方法を説明するための図である。
【図４】本発明の実施の形態２に係る圧縮空気送出機の構成を示す図である。
【図５】従来の圧縮空気を用いた給水管の洗浄方法を説明するための図である。
【符号の説明】
【００８３】
１０１  コンプレッサー
１０２  圧縮空気送出機
１０３  圧力弁
１０４  電磁弁
１０５  制御部
１０６  シリンダ
１０６ａ  ホース接続部
１０６ｂ  コック部
１０６ｃ  固定部
１０６ｄ  切り込み部
１０６ｅ  小孔
１０６ｆ  振動防止ピン
１０６ｇ  雌ネジ部
３０１  量水機
３０２〜３０６  給水栓
３０７〜３１２  給水管
３１３  止水キャップ
４０２  第１の電磁弁
４０３  第２の電磁弁
５０１  給水管洗浄装置
５０２  コンプレッサー
５０３  操作盤
５０４  量水機
５０５〜５０８  給水栓
５０９  パッキン
５１０〜５１３  給水管
【図１】
2007181776.tif 000003
【図２（ａ）】
2007181776.tif 000004
【図２（ｂ）】
2007181776.tif 000005
【図３】
2007181776.tif 000006
【図４】
2007181776.tif 000007
【図５】
2007181776.tif 000008